(57)【要約】【課題】２枚の面板間の固定を簡単かつ確実に行えることは勿論、他のコンクリート型枠に対しても適用することのできる固定具を、簡単な構成によって提供すること。【解決手段】固定具１０を、第１面板２１の上下両縁に形成してある上下のアングル部２１ａに押当部１１ａの上下両端部が当接する第１Ｌ型レール１１と、第２面板２２の外側面に押当部１２ａが当接する第２Ｌ型レール１２と、これら両Ｌ型レール１１・１２の一方に取り付けた枢軸１３によって回動可能に枢支した固定レバー１４と、枢軸１３の移動を可能にすべく両Ｌ型レール１１・１２の他方に形成した長穴１２ｃとにより構成するとともに、固定レバー１４の枢軸１３の両側部分に、他方のＬ型レール１２の内面に当接してこれを一方のＬ型レール１１から押し出すことになる第１押出部１４ａ及び第２押出部１４ｂを形成したこと。【選択図】図６
2005082966.tif 000002
【特許請求の範囲】
【請求項１】
第１面板内に第２面板を長さ方向に伸縮自在に組み付けたコンクリート型枠について、その伸縮位置での前記両面板間の固定を行う固定具であって、
この固定具を、前記第１面板の上下両縁に形成してある上下のアングル部に押当部の上下両端部が当接する第１Ｌ型レールと、前記第２面板の外側面に押当部が当接する第２Ｌ型レールと、これら両Ｌ型レールの一方に取り付けた枢軸によって回動可能に枢支した固定レバーと、前記枢軸の移動を可能にすべく前記両Ｌ型レールの他方に形成した長穴とにより構成するとともに、
前記固定レバーの枢軸の両側部分に、前記他方のＬ型レールの内面に当接してこれを一方のＬ型レールから押し出すことになる第１押出部及び第２押出部を形成したことを特徴とする伸縮可能なコンクリート型枠の伸縮位置固定具。
【請求項２】
前記各押出部の各当接部と、前記枢軸との寸法を変えたことを特徴とする請求項１に記載の伸縮可能なコンクリート型枠の伸縮位置固定具。
【請求項３】
平面的にみたとき、前記両Ｌ型レールがＺ字状となるようにしたことを特徴とする請求項１または請求項２に記載の伸縮可能なコンクリート型枠の伸縮位置固定具。
【発明の詳細な説明】
【技術分野】
【０００１】
本発明は、金属製のコンクリート型枠に使用する固定具に関し、特に、このコンクリート型枠が２枚の面板によって伸縮可能に構成されているものであって、その伸縮位置での両面板間を固定するのに使用する固定具に関するものである。
【背景技術】
【０００２】
コンクリート型枠は、ひところでは、安価でかつ加工がし易い木製のものが一般的であったが、この木製コンクリート型枠は使用後の廃棄や森林伐採の問題が発生したため、近年ではその殆どが金属製のものとなってきている。金属製のコンクリート型枠は、施工現場に合わせた寸法加工が困難なため、一部のものを２枚の面板によって伸縮可能に構成することによって、この加工困難性を回避するようにしている。
【０００３】
２枚の面板によって伸縮可能に構成したコンクリート型枠では、当然その伸縮位置での固定を行わなければならない。その固定を行う道具として、出願人は、例えば特許文献１にて「コンクリート型枠挟持具」を提案してきている。この「コンクリート型枠挟持具」における基本的考え方は、上述した２枚の面板の間に「くさび」の打ち込みによる押圧力を発生させて、２枚の面板が互いに圧接し合うようにすることであった。そして、この基本的考え方に基づく「コンクリート型枠挟持具」によって、２枚の面板の伸縮位置での固定は確実になされるようになった。
【特許文献１】実開平０４−８６８５２号公報
【発明の開示】
【発明が解決しようとする課題】
【０００４】
ところで、この特許文献１にて提案した固定具では、コンクリート打設後に、「くさび」を外さなければならないが、そのための作業は結構手間が掛かるものとなっている。何故なら、対象としているコンクリート型枠が金属製のものであるため、「くさび」それ自体も金属製にした方がよいことから、一旦打ち込んだ「くさび」は、なかなか抜けないからである。
【０００５】
また、この「くさび」を打ち込む場所である「支持片」は、面板のいずれかに固定してあるため、この特許文献１にて提案した「コンクリート型枠挟持具」は、他のコンクリート型枠に使用することができない。何故なら、一般に、コンクリート型枠は、その厚さ（図６中で示したアングル長Ｌ）が区々であり、「くさび」にしろ、これが打ち込まれる場所である「支持片」にしろ、そのコンクリート型枠の厚さに応じたものを用意しておくか、各コンクリート型枠に合った「くさび」及び「支持片」を予め付加しておく必要があるからである。しかし、そのようなアングル長Ｌに合わせた「コンクリート型枠挟持具」とするには、全体のコストアップとなるだけでなく、型枠に対する施工作業そのものが困難になり、保管時のデッドスーペスの発生等、種々な問題が発生すると考えられる。
【０００６】
さらに重要なのは、この種のコンクリート型枠には、その設置作業時は勿論のこと、生コンクリートを打設する際にも重力や衝撃力等の力が加わり、この力が面板を介してこの種の固定具にも掛かるが、そのときに、この固定具がコンクリート型枠から簡単には外れないようにしておく必要がある。
【０００７】
そこで、本発明者が、２枚の面板間の固定を簡単かつ確実に行えて、コンクリート型枠の厚さが変化してもある程度の自由度で対処でき、しかも外れにくくするにはどうしたらよいか、について種々検討を重ねてきた結果、面板の上下縁には、これに他の部材を接続したり、鉄筋ベースの上に取り付けたりするための「アングル部」があることに気づき、本発明を完成したのである。
【０００８】
すなわち、まず、請求項１に係る発明の目的とするところは、２枚の面板間の固定を簡単かつ確実に行えることは勿論、他のコンクリート型枠に対しても適用することのできる固定具を、簡単な構成によって提供することにある。
【０００９】
また、請求項２に係る発明の目的とするところは、上記請求項１の目的を達成することができる他、厚さの異なるコンクリート型枠に対しても適用することのできる固定具を提供することであり、請求項３に係る発明の目的とするところは、上記請求項１または請求項２の目的を達成することができる他、施工時や施工後において外れにくい固定具を提供することにある。
【課題を解決するための手段】
【００１０】
以上の課題を解決するために、まず、請求項１に係る発明の採った手段は、後述する「発明を実施する最良の形態」の項において使用する符号を付して説明すると、
「第１面板２１内に第２面板２２を長さ方向に伸縮自在に組み付けたコンクリート型枠２０について、その伸縮位置での両面板２１・２２間の固定を行う固定具１０であって、
この固定具１０を、第１面板２１の上下両縁に形成してある上下のアングル部２１ａに押当部１１ａの上下両端部が当接する第１Ｌ型レール１１と、第２面板２２の外側面に押当部１２ａが当接する第２Ｌ型レール１２と、これら両Ｌ型レール１１・１２の一方に取り付けた枢軸１３によって回動可能に枢支した固定レバー１４と、枢軸１３の移動を可能にすべく両Ｌ型レール１１・１２の他方に形成した長穴１２ｃとにより構成するとともに、
固定レバー１４の枢軸１３の両側部分に、他方のＬ型レール１２の内面に当接してこれを一方のＬ型レール１１から押し出すことになる第１押出部１４ａ及び第２押出部１４ｂを形成したことを特徴とする伸縮可能なコンクリート型枠の伸縮位置固定具１０」
である。
【００１１】
すなわち、この請求項１に係る固定具１０は、図２に示すように、第１面板２１内に第２面板２２を長さ方向に伸縮自在に組み付けたコンクリート型枠２０について、その伸縮位置での両面板２１・２２間の固定を行うものであり、例えば図５に示すように、枢軸１３によって連結された第１Ｌ型レール１１及び第２Ｌ型レール１２と、固定操作を行うための固定レバー１４とを有しているものである。
【００１２】
なお、金属製コンクリート型枠は、長さの変化しない固定式のものと、伸縮自在なものとがあるが、本発明が対象としているのは、第１面板２１内に第２面板２２を長さ方向に伸縮自在に組み付けたものである。また、第１面板２１及び第２面板２２は、打設された生コンクリートが直接接触する面と、これとは反対側となる面とがあるが、本明細書中では、この生コンクリートが接触しない面を「外側面」ということとする。
【００１３】
さて、この固定具１０は、図４〜図６に示すように、それぞれ押圧部１１ａ・１２ａ及び押圧部１２ａ・１２ｂの横断面が「Ｌ」字状となるように長尺な金属板を折り曲げて形成した第１Ｌ型レール１１及び第２Ｌ型レール１２を、図６に示すように、一本の枢軸１３によって相対移動可能に連結したものである。
【００１４】
各押圧部１１ａ・１２ａは、図３及び図６に示すように、使用するコンクリート型枠２０の高さより少し短い程度の長さを有しているもので、当該固定具１０の使用時にあっては、その上下両端部が、コンクリート型枠２０を構成している第１面板２１のアングル部２１ａに内側から当接することになるものである。各押圧部１１ａ・１２ａと一体的なレール部１１ｂ・１２ｂは、各押圧部１１ａ・１２ａと同じ長さであってもよいが、図６にも示すように、各押圧部１１ａ・１２ａより短いものであってもよいものであり、要するに第２面板２２の外側面を十分押圧できる長さであれば十分なものである。
【００１５】
そして、これらの第１Ｌ型レール１１と第２Ｌ型レール１２とは、そのいずれかに形成してある長穴１２ｃの長さ範囲内で一本の枢軸１３が移動することにより、互いに相対的に移動できるものとなっているのである。勿論、各押圧部１１ａ・１２ａは、図５に示すように、枢軸１３の外側で互いに平行となるように位置しており、各レール部１１ｂ・１２ｂはその面方向へスライド可能になっているのである。
【００１６】
この第１Ｌ型レール１１と第２Ｌ型レール１２との相対移動は、特にコンクリート型枠２０の第１面板２１と第２面板２２との固定を行う場合には、固定レバー１４の回動によって行われる。つまり、固定レバー１４の枢軸１３の両側部分には、他方のＬ型レール１２の内面に当接してこれを一方のＬ型レール１１から押し出すことになる第１押出部１４ａ及び第２押出部１４ｂが形成してあったから、固定レバー１４を図４の（ａ）または（ｃ）に示したように、いずれか一方側に押し込むことにより、第１押出部１４ａまたは第２押出部１４ｂを一方のＬ型レール１１の内側に向けて押し出すようにすることにより、両押圧部１１ａ・１２ａ間の距離が長くなるように相対移動させるのである。
【００１７】
この固定具１０を使用して、第１面板２１と、これに対して伸縮された第２面板２２とを固定するには、固定具１０の第１Ｌ型レール１１と第２Ｌ型レール１２とが最大限に重なった状態にしておき、この固定具１０を、図２及び図３に示すように、第１面板２１と第２面板２２とが重なっている部分に収納する。そして、各押圧部１１ａ・１２ａの上下両端部が第１面板２１側のアングル部２１ａの内側面に当接するようにしながら、上述したように、固定レバー１４を回動させて両押圧部１１ａ・１２ａ間の距離が長くなるように第１Ｌ型レール１１と第２Ｌ型レール１２とを相対移動させるのである。
【００１８】
これにより、第１Ｌ型レール１１の押圧部１１ａは、その上下両端部で第１面板２１のアングル部２１ａを外側に向けて押し出そうとしているし、第２Ｌ型レール１２の押圧部１２ａはコンクリート型枠２０を構成している第２面板２２の外側面をアングル部２１ａとは反対側に向けて押し出そうとしているから、結果として、第２面板２２はこれに重なっている第１面板２１の部分に押し付けられることになり、第１面板２１に対する第２面板２２の伸縮位置での固定が完了するのである。
【００１９】
以上のことから、アングル部２１ａを有している第１面板２１の、図６に示したアングル長Ｌが異なるコンクリート型枠２０についても、当該固定具１０による固定は、固定レバー１４の回動量を変えるだけで十分対処し得る。つまり、本発明に係る固定具１０においては、その第１押出部１４ａまたは第２押出部１４ｂの当接部を、「楕円」の部分円弧形状にしたものであり、この部分円弧のどの部分を当接部とするかは、固定レバー１４の回動量を調整することにより対処できるものであるから、この固定レバー１４の回動量を調整することにより、アングル長Ｌが異なるコンクリート型枠２０についても使用できるものである。それだけでなく、固定具１０の第１Ｌ型レール１１と第２Ｌ型レール１２とを最大限に重なった状態にしておけば、例えば保管のためのデッドスペースを多く発生させることもない。
【００２０】
勿論、コンクリートが硬化した後において、固定レバー１４の固定時における回動方向とは反対側に回動させれば、第１Ｌ型レール１１と第２Ｌ型レール１２間の距離が短くなる。このため、当該固定具１０による第１面板２１のアングル部２１ａと第２面板２２との間の押圧力がなくなるから、当該固定具１０の取り外しは簡単に行えるのである。
【００２１】
従って、この請求項１の固定具１０は、２枚の面板２１・２２間の固定を簡単かつ確実に行えることは勿論、他のコンクリート型枠に対しても適用でき、保管のためのデッドスペースを小さくし得るものなのである。
【００２２】
上記課題を解決するために、請求項２に係る発明の採った手段は、上記請求項１に係る固定具１０について、
「各押出部１４ａ・１４ｂの各当接部と、枢軸１３との寸法を変えたこと」
である。
【００２３】
すなわち、この請求項２の固定具１０は、図４の（ａ）と（ｃ）との比較から理解できるように、固定レバー１４に形成してある各押出部１４ａ・１４ｂの各当接部と、枢軸１３との寸法を変えたものである。
【００２４】
つまり、後述する最良形態の場合では、図４の（ａ）に示すように、固定レバー１４を一方（上方）に最大限回動させたときには、第２Ｌ型レール１２の第１押出部１４ａによる押出量は５０ｍｍとなるものであり、図４の（ｃ）に示すように、固定レバー１４を他方（下方）に最大限回動させたときには、第２Ｌ型レール１２の第１押出部１４ａによる押出量は４４ｍｍとなるものである。この５０ｍｍと４４ｍｍの押出量の差は、現在一般に使用されている２種類のコンクリート型枠２０のアングル長Ｌの差に対応しているものである。
【００２５】
換言すれば、この請求項２の固定具１０は、アングル長Ｌの長いコンクリート型枠２０に対しては、固定レバー１４を上方に回動させればよく、アングル長Ｌの短いコンクリート型枠２０に対しては、固定レバー１４を下方に回動させればよいものとなっているのであり、１つの固定具１０で近年代表的に使用されている２種類のコンクリート型枠２０に対応できるのである。
【００２６】
従って、この請求項２に係る固定具１０は、上記請求項１と同様な機能を発揮する他、厚さの異なるコンクリート型枠に対しても適用し得るのである。
【００２７】
上記課題を解決するために、請求項３に係る発明の採った手段は、上記請求項１または請求項２の固定具１０について、
「平面的にみたとき、両Ｌ型レール１１・１２がＺ字状となるようにしたこと」
である。
【００２８】
すなわち、この請求項３の固定具１０では、図５に示すように、これを構成している第１Ｌ型レール１１と第２Ｌ型レール１２とが、平面的にみた場合にＺ字状を呈したものであり、第１面板２１と第２面板２２との固定状態において、当該固定具１０全体が他からの力によってはコンクリート型枠２０から外れないようにしたものである。
【００２９】
つまり、コンクリート型枠２０の第１面板２１と第２面板２２を固定する固定具１０には、コンクリート型枠２０の内側に打設された直後の生コンクリートの重力によって力が加わるが、この力は各レール部１１ｂ・１２ｂによって分力化されて、第１面板２１や第２面板２２の面方向と垂直方向の力になる。これらの分力が、生コンクリートの押圧力や他からの別の力に対する抗力となるため、当該固定具１０はコンクリート型枠２０から外れにくくなるのである。
【００３０】
従って、この請求項３に係る固定具１０は、上記請求項１または請求項２の固定具１０と同様な機能を発揮する他、施工時や施工後において外れにくいという機能を有したものとなっているのである。
【発明の効果】
【００３１】
以上詳述した通り、請求項１に係る固定具１０においては、
「第１面板２１内に第２面板２２を長さ方向に伸縮自在に組み付けたコンクリート型枠２０について、その伸縮位置での両面板２１・２２間の固定を行う固定具１０であって、
この固定具１０を、第１面板２１の上下両縁に形成してある上下のアングル部２１ａに押当部１１ａの上下両端部が当接する第１Ｌ型レール１１と、第２面板２２の外側面に押当部１２ａが当接する第２Ｌ型レール１２と、これら両Ｌ型レール１１・１２の一方に取り付けた枢軸１３によって回動可能に枢支した固定レバー１４と、枢軸１３の移動を可能にすべく両Ｌ型レール１１・１２の他方に形成した長穴１２ｃとにより構成するとともに、
固定レバー１４の枢軸１３の両側部分に、他方のＬ型レール１２の内面に当接してこれを一方のＬ型レール１１から押し出すことになる第１押出部１４ａ及び第２押出部１４ｂを形成したこと」
にその構成上の特徴があり、これにより、２枚の面板２１・２２間の固定を簡単かつ確実に行えることは勿論、他のコンクリート型枠に対しても適用でき、保管のためのデッドスペースを小さくすることのできる固定具１０を、簡単な構成によって提供することができるのである。
【００３２】
また、請求項２に係る固定具１０は、上記請求項１に係る固定具１０について、
「各押出部１４ａ・１４ｂの各当接部と、枢軸１３との寸法を変えたこと」
にその構成上の特徴があり、これにより、上記請求項１に係る固定具１０と同様な効果を発揮する他、厚さの異なるコンクリート型枠に対しても適用することができる固定具１０を提供することができるのである。
【００３３】
そして、請求項３に係る固定具１０は、上記請求項１または請求項２に係る固定具１０について、
「平面的にみたとき、両Ｌ型レール１１・１２がＺ字状となるようにしたこと」
にその構成上の特徴があり、これにより、上記請求項１または請求項２の固定具１０と同様な効果を発揮する他、施工時や施工後において外れにくくすることのできる固定具１０を提供することができるのでえある。
【発明を実施するための最良の形態】
【００３４】
次に、上記のように構成した各請求項に係る発明を、図面に示した最良の形態に従って説明すると、図１には、多数の型枠パネルを使用して形成した型枠の一部が示してあり、型枠パネルの一部は、図２に示したようなコンクリート型枠２０が採用されるものである。
【００３５】
このコンクリート型枠２０は、図２に示したように、第１面板２１内に第２面板２２を長さ方向に伸縮自在に組み付けたもので、その伸縮位置での両面板２１・２２間の固定を行うことによって、図２の左右方向の長さを所定の範囲内で自由に調整できるものである。このコンクリート型枠２０を構成している第１面板２１は、図２、図３、図５及び図６に示したように、上下両縁に横方向に伸びるアングル部２１ａが形成してあり、このアングル部２１ａを利用して、図１に示したように、反対側のコンクリート型枠２０等と連結したり、鉄筋で形成した土台枠上に固定したりするものである。第２面板２２にはこのようなアングル部２１ａは全くなく、その外側面はほぼフラットなものとなっている。
【００３６】
また、このコンクリート型枠２０は、図１に示したように、他の固定型のコンクリート型枠と連結することにより、例えば土台等のコンクリート構造物を形成するための「型」を形成するものであり、この連結は、側部外側面に設けたストッパ３０の回動によってなされるものである。そのために、当該コンクリート型枠２０或いはこれに隣接他のコンクリート型枠２０や固定型の側端面には、ストッパ３０を挿通するための穴が形成してある。
【００３７】
さて、本発明に係る固定具１０は、図３〜図６に示したように、第１面板２１の上下両縁に形成してある上下のアングル部２１ａに押当部１１ａの上下両端部が当接する第１Ｌ型レール１１と、第２面板２２の外側面に押当部１２ａが当接する第２Ｌ型レール１２と、これら両Ｌ型レール１１・１２の一方に取り付けた枢軸１３によって回動可能に枢支した固定レバー１４と、枢軸１３の移動を可能にすべく両Ｌ型レール１１・１２の他方に形成した長穴１２ｃとにより構成したものである。
【００３８】
各第１Ｌ型レール１１及び第２Ｌ型レール１２は、図４〜図６に示したように、それぞれ押圧部１１ａ・１２ａ及び押圧部１２ａ・１２ｂの横断面が「Ｌ」字状となるように長尺な金属板を折り曲げて形成したものであり、図６に示したように、上述した一本の枢軸１３によって相対移動可能に連結したものである。各押圧部１１ａ・１２ａは、図３及び図６に示したように、使用するコンクリート型枠２０の高さより少し短い程度の長さを有しているもので、当該固定具１０の使用時にあっては、その上下両端部が、コンクリート型枠２０を構成している第１面板２１のアングル部２１ａに内側から当接する、つまり第２面板２２の外側面を十分押圧できる長さを有しているものである。
【００３９】
そして、これらの第１Ｌ型レール１１と第２Ｌ型レール１２とは、そのいずれかに形成してある長穴１２ｃの長さ範囲内で一本の枢軸１３が移動することにより、互いに相対的に移動できるものとなっているのである。勿論、各押圧部１１ａ・１２ａは、図５に示したように、枢軸１３の外側で互いに平行となるように位置しており、各レール部１１ｂ・１２ｂはその面方向へスライド可能になっているのである。
【００４０】
この第１Ｌ型レール１１と第２Ｌ型レール１２との相対移動は、特にコンクリート型枠２０の第１面板２１と第２面板２２との固定を行う場合に固定レバー１４の回動によって行われる。つまり、固定レバー１４の枢軸１３の両側部分には、他方のＬ型レール１２の内面に当接してこれを一方のＬ型レール１１から押し出すことになる第１押出部１４ａ及び第２押出部１４ｂが形成してあったから、固定レバー１４を図４の（ａ）または（ｃ）に示したように、いずれか一方側に押し込むことにより、第１押出部１４ａまたは第２押出部１４ｂを一方のＬ型レール１１の内側に向けて押し出すのであり、これにより両押圧部１１ａ・１２ａ間の距離は長くされるのである。
【００４１】
さらに、この固定具１０を構成している第１Ｌ型レール１１と第２Ｌ型レール１２については、これらを平面的にみたときＺ字状となるようにしてある。すなわち、この最良形態の固定具１０では、図５に示したように、これを構成している第１Ｌ型レール１１と第２Ｌ型レール１２とが、第１面板２１と第２面板２２との固定状態においてＺ字状を呈するように形成してあり、これにより、当該固定具１０全体が他からの力によってはコンクリート型枠２０から外れないようにしてある。
【００４２】
また、本最良形態に係る固定具１０では、固定レバー１４の各押出部１４ａ・１４ｂの各当接部と、枢軸１３との寸法がそれぞれ変わるようにしてある。つまり、この固定具１０では、図４の（ａ）に示したように、固定レバー１４を一方（上方）に最大限回動させたときには、第２Ｌ型レール１２の第１押出部１４ａによる押出量が５０ｍｍとなり、図４の（ｃ）に示したように、固定レバー１４を他方（下方）に最大限回動させたときには、第２Ｌ型レール１２の第１押出部１４ａによる押出量が４４ｍｍとなるようにしたものである。
【００４３】
換言すれば、この固定具１０は、Ｌの長いコンクリート型枠２０に対しては、固定レバー１４を上方に回動させればよく、Ｌの短いコンクリート型枠２０に対しては、固定レバー１４を下方に回動させればよいものとなっているのであり、１つの固定具１０で近年代表的に使用されている２種類のコンクリート型枠２０に対応できるものとしてある。
【００４４】
なお、本最良形態では、上述した押出量がどちらに回動したらどれだけかを示す目盛１５が、固定レバー１４の表面であって枢軸１３の近傍に付してあり、使用者はこの目盛１５を参照して固定レバー１４の回動を間違いなく行えるようにしてある。
【図面の簡単な説明】
【００４５】
【図１】本発明に係る固定具を使用してコンクリート型枠等による固定が完成した状態を示す部分斜視図である。
【図２】本発明の固定具が対象としているコンクリート型枠の外側面からみた背面図である。
【図３】コンクリート型枠の第１面板と第２面板とを固定している本発明に係る固定具の下端部の部分斜視図である。
【図４】本発明の固定具を示すもので、（ａ）は第２Ｌ型レールを長く押し出した状態の部分正面図、（ｂ）は第１Ｌ型レールと第２Ｌ型レールとを最大限重ねた状態の部分正面図、（ｃ）は第２Ｌ型レールを短く押し出した状態の部分正面図である。
【図５】本発明に係る固定具の、固定状態における状態を枢軸を中心にしてみた横断面図である。
【図６】同固定具の上端部と第１面板との位置関係を示す部分縦断面図である。
【符号の説明】
【００４６】
１０    固定具
１１    第１Ｌ型レール
１１ａ  押圧部
１１ｂ  レール部
１２    第２Ｌ型レール
１２ａ  押圧部
１２ｂ  レール部
１２ｃ  長穴
１３    枢軸
１４    固定レバー
１４ａ  第１押出部
１４ｂ  第２押出部
１５    目盛
２０    コンクリート型枠
２１    第１面板
２１ａ  アングル部
２２    第２面板
３０    ストッパ
【図１】
2005082966.tif 000003
【図２】
2005082966.tif 000004
【図３】
2005082966.tif 000005
【図４】
2005082966.tif 000006
【図５】
2005082966.tif 000007
【図６】
2005082966.tif 000008